(57)【要約】      （修正有）【課題】工事用エレベータにおいて着床階の天井に干渉しないように着床面から上部の高さを低く抑える。【解決手段】建設中の建物に設置する工事用エレベータ１００であって、ラックギヤ３を備えたガイドレール２と、前記ラックギヤ３に対してピニオンを噛み合わせて昇降し各階に停止可能な篭１と、前記篭１の重量とバランスをとるカウンターウエイト４と、前記篭１と前記カウンターウエイト４とをヘッドシーブ８を介して接続する第１及び第２ワイヤーロープ５と、を備え、当該工事用エレベータ１００の最上部は、前記篭１の停止可能な最上階の天井よりも低いことを特徴とする工事用エレベータ１００。【選択図】図１
2019182617.tif 000002
【特許請求の範囲】
【請求項１】
建設中の建物に設置する工事用エレベータであって、
ラックギヤを備えたガイドレールと、
前記ラックギヤに対してピニオンを噛み合わせて昇降し各階に停止可能な篭と、
前記篭の重量とバランスをとるカウンターウエイトと、
前記篭と前記カウンターウエイトとをヘッドシーブを介して接続する第１及び第２ワイヤーロープと、を備え、
当該工事用エレベータの最上部は、前記篭の停止可能な最上階の天井よりも低いことを特徴とする工事用エレベータ。
【請求項２】
前記ヘッドシーブは、前記ガイドレールの最上部に設けられたことを特徴とする請求項１に記載の工事用エレベータ。
【請求項３】
前記篭の天井上部に設け、前記第１及び第２ワイヤーロープを固定するとともに、前記第１及び第２ワイヤーロープ間のバランスをとるワイヤー尻手金具と、
前記篭の床下部に設け、前記ピニオンを回転駆動する電動機と、
前記篭の床下部に設けた自動落下防止装置と、を備えたことを特徴とする請求項１又は２に記載の工事用エレベータ。
【請求項４】
前記ワイヤー尻手金具は、
前記第１ワイヤーロープを右巻きに巻き付ける第１尻手ドラムと、
前記第２ワイヤーロープを左巻きに巻き付け、前記第１尻手ドラムと固定されている第２尻手ドラムと、
前記第１ワイヤーロープの端部をくさび止めにより前記第１尻手ドラムに固定する第１くさび型ワイヤーソケットと、
前記第２ワイヤーロープの端部をくさび止めにより前記第２尻手ドラムに固定する第２くさび型ワイヤーソケットと、
前記第１及び第２尻手ドラムの回転角に基づいて前記自動落下防止装置を駆動させるリミットスイッチと、を備えたことを特徴とする請求項１〜３のいずれかに記載の工事用エレベータ。
【請求項５】
前記ラックギヤは第１ラックギヤと第２ラックギヤの２本が平行に並んで設けられるとともに、前記ピニオンは前記第１ラックギヤに噛み合う第１ピニオンと前記第２ラックギヤに噛み合う第２ピニオンとが設けられ、
前記電動機は、前記第１ラックギヤを回転させる第１電動機と前記第２ラックギヤを回転させる第２電動機とを設けたことを特徴とする請求項１〜４のいずれかに記載の工事用エレベータ。
【発明の詳細な説明】
【技術分野】
【０００１】
本発明は、着床面から上部の高さを低く抑えた工事用エレベータに関するものである。
【背景技術】
【０００２】
ビル等の建設現場においては、資材や人員の運搬のために工事用エレベータが使用されている。
【０００３】
最近のビルは高層化が進むとともに、ある階を境にしてオフィスとホテルのように構造が変わるものが出現してきている。このようなビルでは構造が変わる階を境にして楊重を分けて工事の計画をする必要がある。
【０００４】
特許文献１には、工事用エレベータの構造が記載されている。
【先行技術文献】
【特許文献】
【０００５】
特許文献１：特開２００３−２３８０５１号公報
【発明の概要】
【発明が解決しようとする課題】
【０００６】
しかしながら、特許文献１記載のものを始めとして従来の工事用エレベータは、構造が変わる階（例えば、２６階）より１階下の階（例えば、２５階）の着床面から上部の高さが高く１階下の階（例えば、２５階）の天井までの高さに収まりきらず、構造が変わる階の床が後施行となり建設工事の工程に大きな影響を与えるという問題があった。
【０００７】
本発明は、上記問題点を解決して、工事用エレベータにおいて着床階の天井に干渉しないように着床面から上部の高さを低く抑えることを課題とする。
【課題を解決するための手段】
【０００８】
上記課題を解決するために本発明は、建設中の建物に設置する工事用エレベータであって、
ラックギヤを備えたガイドレールと、
前記ラックギヤに対してピニオンを噛み合わせて昇降し各階に停止可能な篭と、
前記篭の重量とバランスをとるカウンターウエイトと、
前記篭と前記カウンターウエイトとをヘッドシーブを介して接続する第１及び第２ワイヤーロープと、を備え、
当該工事用エレベータの最上部は、前記篭の停止可能な最上階の天井よりも低いことを特徴とする工事用エレベータを提供するものである。
【０００９】
この構成により、工事用エレベータにおいて篭の停止可能な最上階の天井に干渉しないように着床面から上部の高さを低く抑えることができる。
【００１０】
前記ヘッドシーブは、前記ガイドレールの最上部に設けられた構成としてもよい。
【００１１】
この構成により、簡易な構成で篭の昇降をスムーズに行うことができる。
【００１２】
前記篭の天井上部に設け、前記第１及び第２ワイヤーロープを固定するとともに、前記第１及び第２ワイヤーロープ間のバランスをとるワイヤー尻手金具と、  前記篭の床下部に設け、前記ピニオンを回転駆動する電動機と、  前記篭の床下部に設けた自動落下防止装置と、を備えた構成としてもよい。
【００１３】
この構成により、可能な限り着床面からの上部の高さを低く抑えることができる。
【００１４】
前記ワイヤー尻手金具は、  前記第１ワイヤーロープを右巻きに巻き付ける第１尻手ドラムと、  前記第２ワイヤーロープを左巻きに巻き付け、前記第１尻手ドラムと固定されている第２尻手ドラムと、  前記第１ワイヤーロープの端部をくさび止めにより前記第１尻手ドラムに固定する第１くさび型ワイヤーソケットと、  前記第２ワイヤーロープの端部をくさび止めにより前記第２尻手ドラムに固定する第２くさび型ワイヤーソケットと、  前記第１及び第２尻手ドラムの回転角に基づいて前記自動落下防止装置を駆動させるリミットスイッチと、を備えた構成としてもよい。
【００１５】
この構成により、ワイヤーロープが解けることなく固定できるとともに、ワイヤー切断時に篭の落下を防止することができる。
【００１６】
前記ラックギヤは第１ラックギヤと第２ラックギヤの２本が平行に並んで設けられるとともに、前記ピニオンは前記第１ラックギヤに噛み合う第１ピニオンと前記第２ラックギヤに噛み合う第２ピニオンとが設けられ、  前記電動機は、前記第１ラックギヤを回転させる第１電動機と前記第２ラックギヤを回転させる第２電動機とを設けた構成としてもよい。
【００１７】
この構成により、篭の床下部分の高さを低くすることができる。
【発明の効果】
【００１８】
本発明の工事用エレベータにより、工事用エレベータにおいて着床階の天井に干渉しないように着床面から上部の高さを低く抑えることができる。
【図面の簡単な説明】
【００１９】
【図１】本発明の実施例１における工事用エレベータを説明する図である。
【図２】本発明の実施例１におけるワイヤー尻手金具を説明する図であり、（ａ）は主要部の外観図、（ｂ）は第１尻手金具におけるワイヤーロープの巻き方を説明する図、（ｃ）は第２尻手金具におけるワイヤーロープの巻き方を説明する図、（ｄ）はくさび止めを説明する図、である。
【図３】本発明の実施例１における篭とカウンターウエイトとの関係を説明する図である。
【図４】本発明の実施例２における工事用エレベータの主要部を説明する図である。
【発明を実施するための形態】
【実施例１】
【００２０】
本発明の実施例１について、図１、図２、図３を参照して説明する。図１は、本発明の実施例１における工事用エレベータを説明する図である。図２は、本発明の実施例２におけるワイヤー尻手金具を説明する図であり、（ａ）は主要部の外観図、（ｂ）は第１尻手金具におけるワイヤーロープの巻き方を説明する図、（ｃ）は第２尻手金具におけるワイヤーロープの巻き方を説明する図、（ｄ）はくさび止めを説明する図、である。図３は、本発明の実施例１における篭とカウンターウエイトとの関係を説明する図である。
【００２１】
図１に示すように、実施例１における工事用エレベータ１００は、ガイドレール２が地上から最上階まで延び、ピニオンが噛み合うラックギヤ３がガイドレール２に沿って設けられている。そして、資材や人員を載せる篭１が図示しないピニオンをラックギヤ３に噛み合わせてガイドレール２に沿って昇降する。篭１の床下には電動機６（６ａ〜６ｄ）を４個備えており、各電動機６ａ、６ｂ、６ｃ、６ｄはそれぞれ個別のピニオンを回転させることでラックギヤ３に沿って篭１を昇降させる。また、篭１の重量とバランスをとるためのカウンターウエイト４がヘッドシーブ８を介したワイヤーロープ５で篭１と接続されている（図３参照）
【００２２】
ワイヤーロープ５は２本のワイヤーロープ（第１ワイヤーロープ５ａ、第２ワイヤーロープ５ｂ）でバランスをとりながら篭１を吊り下げるとともに、さらに２本のワイヤーロープ（第３ワイヤーロープ５ｃ、第４ワイヤーロープ５ｄ）でバランスをとりながら篭１を吊り下げることで篭１の安全を確保している。各ワイヤーロープは後述するワイヤー尻手金具１０で篭１に接続されており、いずれかのワイヤーロープが切断した場合などは、第１ワイヤーロープ５ａと第２ワイヤーロープ５ｂとのバランス、又は第３ワイヤーロープ５ｃと第４ワイヤーロープ５ｄとのバランスが崩れてワイヤー尻手金具１０が所定以上（実施例１においては、±９０°）に回転することによりリミットスイッチ１９がリミットスイッチ用ドグに接触（図２（ａ）参照）して作動し後述の自動落下防止装置７を作動させて篭１の落下を防ぐ。
【００２３】
ヘッドシーブ８は、第１ワイヤーロープ５ａ及び第２ワイヤーロープ５ｂを巻かけるヘッドシーブ８ａと、３ワイヤーロープ５ｃ及び第４ワイヤーロープ５ｄを巻かけるヘッドシーブ８ｂとからなっている。また、後述するように余分なワイヤーロープ５を巻付けるワイヤーロープ余巻ドラム９も第１ワイヤーロープ５ａ及び第２ワイヤーロープ５ｂを巻き付けるワイヤーロープ余巻ドラム９ａと、第３ワイヤーロープ５ｃ及び第４ワイヤーロープ５ｄを巻き付けるワイヤーロープ余巻ドラム９ｂとからなっている。さらに、後述するように、カウンターウエイト４も第１ワイヤーロープ５ａ及び第２ワイヤーロープ５ｂを接続するカウンターウエイト４ａと、第３ワイヤーロープ５ｃ及び第４ワイヤーロープ５ｄを接続するカウンターウエイト４ｂとからなっている。
【００２４】
自動落下防止装置７は、篭１の床下における電動機６（６ａ〜６ｄ）の下方に設けられている。自動落下防止装置７は電磁ブレーキとも呼ばれ、通常は通電されることによりラックギヤ３に噛み合うピニオンが空転しているが、上述のリミットスイッチ１９が働くか、電源が切断すると通電が切れ、ピニオンがロックすることによりブレーキが作動するように構成されている。
【００２５】
なお、実施例１においては、電動機６を４個備えるように構成したが、必ずしもこれに限定されず適宜変更が可能である。例えば、３個以下でもよいし、５個以上でもよい。篭１の負荷に応じて適切な個数の電動機６を備えるように構成すればよい。
【００２６】
また、実施例１においては、第１ワイヤーロープ５ａ及び第２ワイヤーロープ５ｂに加えて、第３ワイヤーロープ５ｃ及び第４ワイヤーロープ５ｄで篭１を吊り下げるように構成したが、必ずしもこれに限定されず適宜変更が可能である。例えば、第１ワイヤーロープ５ａ及び第２ワイヤーロープ５ｂのみで篭１を吊り下げるように構成してもよいし、さらに第５ワイヤーロープ及び第６ワイヤーロープの合計６本のワイヤーロープで篭１を吊り下げるように構成してもよい。
【００２７】
篭１の天井の上部には、ワイヤー尻手金具１０が設けられている。ワイヤー尻手金具１０は、篭１を支えるワイヤーロープ５を終端するとともに、２本のワイヤーロープ５間（第１ワイヤーロープ５ａと第２ワイヤーロープ５ｂ間、及び第３ワイヤーロープ５ｃと第４ワイヤーロープ５ｄ間）のバランスをとりながら、ワイヤーロープ５の切断時にバランスが崩れることにより自動落下装置７を起動するもので、安全を担保する上で重要なものである。
【００２８】
ここで、工事用エレベータにおいて着床階の天井に干渉しないように着床面Ｆから上部の高さＬを低く抑えるためには、ヘッドシーブ８に巻きかけたワイヤーロープ５を効率よく篭１の天井上部に固定することが重要である。本発明においては、ワイヤー尻手金具１０におけるワイヤーロープ５の終端処理にくさび型ワイヤーソケット１４を用いることにより、ワイヤーロープ５が解けることなく効率よく固定している。
【００２９】
ワイヤー尻手金具１０について、図２を参照して説明する。ワイヤー尻手金具１０は、篭１の天井上部に設けられ、取付け部１６を介して左側ワイヤー尻手金具１０ａ及び右側ワイヤー尻手金具１０ｂが左右（ｘ方向）に取り付けられている。左側（―ｘ方向）のワイヤー尻手金具１０ａは、左側（―ｘ方向）に第１尻手ドラム１１、右側（＋ｘ方向）に第２尻手ドラム１２が配置されており、これら第１尻手ドラム１１及び第２尻手ドラム１２はほぼ同様の形状を有し、図２（ｂ）、（ｃ）に示すように平面視で先端が細くなる形状を有していて互いに結合されている。
【００３０】
また、ワイヤー尻手金具１０ａは軸１７を回転軸にして±９０°回転可能に構成され、ワイヤー尻手金具１０ｂは軸１８を回転軸にして±９０°回転可能に構成されている。さらに、ワイヤー尻手金具１０ａにおける第１尻手ドラム１１と第２尻手ドラム１２とは軸１７を回転軸にして約１０°回転した状態で結合され、ワイヤー尻手金具１０ｂにおける第１尻手ドラム１１と第２尻手ドラム１２とは軸１８を回転軸にして約１０°回転した状態で結合されている。これにより、後述するように、ワイヤーロープ５の終端作業を容易に行うことができる。
【００３１】
図２（ｂ）、（ｃ）に示すように、各第１尻手ドラム１１には第１くさび型ワイヤーソケット１４ａが右巻き方向に巻かれたワイヤーロープ５ａ、５ｃを終端しやすいように設けられ、各第２尻手ドラム１２には第２くさび型ワイヤーソケット１４ｂが左巻き方向に巻かれたワイヤーロープ５ｂ、５ｄを終端しやすいように設けられている。第１くさび型ワイヤーソケット１４ａ、及び第２くさび型ワイヤーソケット１４ｂは、ワイヤーロープ５（５ａ、５ｂ、５ｃ、５ｄ）を終端するものであって、図２（ｄ）に示すようにワイヤーロープ５（５ａ、５ｂ、５ｃ、５ｄ）を折り返すように第１くさび型ワイヤーソケット１４ａ又は第２くさび型ワイヤーソケット１４ｂに挿入して先端付近をクリップ１３で固定している。この状態でワイヤーロープ５（５ａ、５ｂ、５ｃ、５ｄ）を引っ張れば引っ張るほど折り返したワイヤーロープ５（５ａ、５ｂ、５ｃ、５ｄ）はくさび型ワイヤーソケット１４（１４ａ、１４ｂ）の細くなっている出口方向に引っ張られて締め付けられる。これにより、ワイヤーロープ５（５ａ、５ｂ、５ｃ、５ｄ）がくさび型ワイヤーソケット１４（１４ａ、１４ｂ）から解けることがなくなり篭１の天井上部から解けることがない。
【００３２】
ワイヤーロープ５とワイヤー尻手金具１０との関係について説明する。前述したように、第１ワイヤーロープ５ａと第２ワイヤーロープ５ｂとがペアになって互いのバランスをとり、第３ワイヤーロープ５ｃと第４ワイヤーロープ５ｄとがペアになって互いのバランスをとるように構成されている。
【００３３】
第１ワイヤーロープ５ａは、左側ワイヤー尻手金具１０ａにおける第１尻手ドラム１１のドラム部分に右巻き方向に巻き付けられ、その先端を第１くさび型ワイヤーソケット１４ａにより第１尻手ドラム１１に固定されるとともに、折り返した第１ワイヤーロープ５ａを第１ワイヤーロープ５ａにクリップ１３により固定している。また、第２ワイヤーロープ５ｂは、左側ワイヤー尻手金具１０ａにおける第２尻手ドラム１２のドラム部分に左巻き方向に巻き付けられ、その先端を第２くさび型ワイヤーソケット１４ｂにより第１尻手ドラム１２に固定されるとともに、折り返した第２ワイヤーロープ５ｂを第２ワイヤーロープ５ｂにクリップ１３により固定している。第１ワイヤーロープ５ａ及び第２ワイヤーロープ５ｂの反対側の先端は、ヘッドシーブ８（８ａ）に掛け渡した上、余分なワイヤーロープ５をワイヤーロープ余巻ドラム９（９ａ、９ｂ）に巻き付け、同じカウンターウエイト４（４ａ）に接続固定されている（図３参照）。
【００３４】
そして、カウンターウエイト４の負荷がかかっている状態で、第１ワイヤーロープ５ａ及び第２ワイヤーロープ５ｂの長さを調整して、バランス
がとれて左側ワイヤー尻手金具１０ａが所定の回転角（実施例１においては、０°）になるようにするとともに、いずれかのワイヤーロープ５（５ａ又は５ｂ）が切断した場合はバランスが崩れてリミットスイッチ１９が作動するように調整されている。
【００３５】
右側ワイヤー尻手金具１０ｂは、第１尻手ドラム１１と第２尻手ドラム１２の配置が左側ワイヤー尻手金具１０ａとは逆になっている。すなわち、右側（＋ｘ方向）に第１尻手ドラム１１が配置され、左側（−ｘ方向）に第２尻手ドラム１２が配置されている。
【００３６】
そして同様に、第３ワイヤーロープ５ｃは、右側ワイヤー尻手金具１０ｂにおける第１尻手ドラム１１のドラム部分に右巻き方向に巻き付けられ、その先端を第１くさび型ワイヤーソケット１４ａにより第１尻手ドラム１１に固定されるとともに、折り返した第３ワイヤーロープ５ｃを第３ワイヤーロープ５ｃにクリップ１３により固定している。また、第４ワイヤーロープ５ｄは、右側ワイヤー尻手金具１０ｂにおける第２尻手ドラム１２のドラム部分に左巻き方向に巻き付けられ、その先端を第２くさび型ワイヤーソケット１４ｂにより第２尻手ドラム１２に固定されるとともに、折り返した第４ワイヤーロープ５ｄを第４ワイヤーロープ５ｄにクリップ１３により固定している。第３ワイヤーロープ５ｃ及び第４ワイヤーロープ５ｄの反対側の先端は、ヘッドシーブ８（８ｂ）に掛け渡した上、余分なワイヤーロープ５ｃ、５ｄをワイヤーロープ余巻ドラム９（９ｃ、９ｄ）に巻き付け、同じカウンターウエイト４（４ｂ）に接続固定されている。
【００３７】
そして、カウンターウエイト４（４ｂ）の負荷がかかっている状態で、第３ワイヤーロープ５ｃ及び第４ワイヤーロープ５ｄの長さを調整して、バランスがとれて右側ワイヤー尻手金具１０ｂが所定の回転角になるように調整するとともに、いずれかのワイヤーロープ５（５ｃ又は５ｄ）が切断した場合はバランスが崩れてリミットスイッチ１９が作動するように調整されている。
【００３８】
ワイヤーロープ５、ヘッドシーブ８、カウンターウエイト４、及び篭１の関係を図３に示す。なお、図３においては、右側（＋ｘ方向）の第３ワイヤーロープ５ｃ、第４ワイヤーロープ５ｄ、ヘッドシーブ８ｂ、カウンターウエイト４ｂのみを図示し、左側のワイヤーロープ５ａ、５ｂ、ヘッドシーブ８ａ、カウンターウエイト４ａは省略している。また、ワイヤーロープ余巻ドラム９の図示は省略している。
【００３９】
従来は、くさび型ワイヤーソケット１４を用いずに単にワイヤーロープ５の先端をクリップで長さ調整用のリギンススクリューに接続するようにしていたので、ワイヤーロープ５が解ける可能性があるとともに、リギンススクリューの長さ分が長くなり（高さが高くなり）、着床面から上部の高さを低く抑えることが困難であった。
【００４０】
上述したように、本願発明においては、ワイヤーロープ５の終端処理のために篭１の天井上部においてくさび型ワイヤーソケット１４を用いるとともに、４個の電動機６（６ａ、６ｂ、６ｃ、６ｄ）及び自動落下防止装置７を篭１の床下に設けたことで、着床面から上部の高さＬ（着床面Ｆからヘッドシーブ８の頂部）を４，４００ｍｍ以内に低く抑えることができている（図１参照）。これによって、実施例１における工事用エレベータ１００の最上部は、篭１の停止可能な最上階の天井（４，８００ｍｍ）よりも低く構成することができ、構造が変わる階の床が後施行となることなく、工事用エレベータの都合による建設工事工程に影響を与えることを防ぐことができる。
【００４１】
なお、実施例１における第１くさび型ワイヤーソケット１４ａと第２くさび型ワイヤーソケット１４ｂとは、同じものであり、取付け場所と方向が異なっているのみである。
【００４２】
このように実施例１においては、建設中の建物に設置する工事用エレベータであって、  ラックギヤを備えたガイドレールと、  前記ラックギヤに対してピニオンを噛み合わせて昇降し各階に停止可能な篭と、  前記篭の重量とバランスをとるカウンターウエイトと、  前記篭と前記カウンターウエイトとをヘッドシーブを介して接続する第１及び第２ワイヤーロープと、を備え、  当該工事用エレベータの最上部は、前記篭の停止可能な最上階の天井よりも低いことを特徴とする工事用エレベータにより、工事用エレベータにおいて篭の停止可能な最上階の天井に干渉しないように着床面から上部の高さを低く抑えることができる。
【実施例２】
【００４３】
本発明における実施例２は、電動機を２個ずつ並列に配置した点で実施例１と異なっている。実施例２について図４を参照して説明する。図４は、本発明の実施例２における工事用エレベータの主要部を説明する図である。
【００４４】
実施例２における工事用エレベータ２００は、ラックギヤ３を２本備えており、第１ラックギヤ３ａと第２ラックギヤ３ｂが平行に並んで設けられるとともに、第１ラックギヤ３ａに噛み合う図示しない第１ピニオン及び第３ピニオンと、第２ラックギヤ３ｂに噛み合う図示しない第２ピニオン及び第４ピニオンとが設けられている。
【００４５】
そして、第１ピニオンを回転させる第１電動機６ａと第２ピニオンを回転させる第２電動機６ｂとを設けている。また、同様に第３ピニオンを回転させる第３電動機６ｃと第４ピニオンを回転させる第４電動機６ｄとを設けている。このように構成することにより、第１電動機６ａと第３電動機６ｃとが直列に配置され、第２電動機６ｂと第４電動機６ｄとが直列に配置されるとともに、第１電動機６ａ及び第３電動機６ｃと第２電動機６ｂ及び第４電動機６ｄとが並列に配置されることとなる。このため、篭１の床下の長さが短くなり地上から篭１の床までの高さを低く抑えることができる。
【００４６】
また、実施例２においては、ラックギヤ３は２本備えているため、自動落下防止装置７も２個備えている。つまり、自動落下防止装置７ａはラックギヤ３ａに噛み合って通常時は空転するピニオンを有するとともに、自動落下防止装置７ｂはラックギヤ３ｂに噛み合って通常時は空転するピニオンを有している。そして、ワイヤー尻手金具１０のリミットスイッチが動作するか電源が遮断されると、自動落下防止装置７ａ及び自動落下防止装置７ｂは同時にそれぞれのピニオンを停止させて篭１の落下を防止する。
【００４７】
まお、実施例２においては、第１電動機６ａ及び第２電動機６ｂに加えて、第３電動機６ｃ及び第４電動機６ｄを備えるように構成したが、必ずしもこれに限定されず適宜変更が可能である。例えば、第１電動機６ａ及び第２電動機６ｂのみで構成してもよい。篭１の負荷に応じて適切な個数の電動機６を備えて、それぞれ並列になるように配置すればよい。
【００４８】
このように実施例２においては、前記ラックギヤは第１ラックギヤと第２ラックギヤの２本が平行に並んで設けられるとともに、前記ピニオンは前記第１ラックギヤに噛み合う第１ピニオンと前記第２ラックギヤに噛み合う第２ピニオンとが設けられ、
前記電動機は、前記第１ラックギヤを回転させる第１電動機と前記第２ラックギヤを回転させる第２電動機とを設けたことにより、篭の床下部分の高さを低くすることができる。
【産業上の利用可能性】
【００４９】
本発明における工事用エレベータは、建設現場におけるエレベータに広く適用することができる。
【符号の説明】
【００５０】
１： 篭    ２：ガイドレール    ３：ラックギヤ    ３ａ：第１ラックギヤ    ３ｂ：第２ラックギヤ    ４：カウンターウエイト    ５：ワイヤーロープ    ５ａ：第１ワイヤーロープ    ５ｂ：第２ワイヤーロープ    ５ｃ：第３ワイヤーロープ    ５ｄ：第４ワイヤーロープ    ６：電動機    ６ａ：第１電動機    ６ｂ：第２電動機    ６ｃ：第３電動機    ６ｄ：第４電動機    ７：自動落下防止装置    ７ａ：第１自動落下防止装置    ７ｂ：第２自動落下防止装置    ８：ヘッドシーブ    ９：ワイヤーロープ余巻ドラム    １０：ワイヤー尻手金具    １０ａ：左側ワイヤー尻手金具    １０ｂ：右側ワイヤー尻手金具    １１：第１尻手ドラム    １２：第２尻手ドラム    １３：クリップ    １４：くさび型ワイヤーソケット    １４ａ：第１くさび型ワイヤーソケット    １４ｂ：第２くさび型ワイヤーソケット１６：取付け部    １７：軸    １８：軸    １９：リミットスイッチ    ２０：リミットスイッチ用ドグ１００：工事用エレベータ    ２００工事用エレベータ    Ｆ：着床面    Ｌ：頂部高さ    
【図１】
2019182617.tif 000003
【図２】
2019182617.tif 000004
【図３】
2019182617.tif 000005
【図４】
2019182617.tif 000006